(57)【特許請求の範囲】
【請求項１】
フレーム１１の下部片側に延びる台座１２を連設し、もう一方の下部片側に形成した嵌合突起１５と、それに対応する嵌合凹部１６とを設けた半身のプラスチック成形物からなる枠部材１０同士を前記台座１２が外側になるように向かい合わせ、側面に隙間２２がある状態で、それぞれ前記嵌合突起１５と嵌合凹部１６とを嵌合させることにより結合させた表示本体２０の、前記隙間２２に表示板３０を挿入したことを特徴とする表示体。
【請求項２】
請求項１記載の表示体において、前記台座１２の底面内側に排水機能を付加する切欠１４を複数個設けたことを特徴とする表示体。
【請求項３】
前記枠部材１０が、フレーム１１内に分離可能な格子状の補強部材１３を一体に設けたことを特徴とする請求項１又は２記載の表示体。
【請求項４】
１つの枠部材１０が、フレーム１１内に分離可能な格子状の補強部材１３を一体に設けたことを特徴とする請求項１又は２記載の表示体。
【請求項５】
請求項１乃至４のいずれか１項記載の表示体を天面に取り付けたことを特徴とする自動販売機。
【発明の詳細な説明】
【０００１】
【発明の属する技術分野】
本発明は、自動販売機等の天面に取り付ける、商品の告知などの広告の表示部材に関する。
【０００２】
【従来の技術】
従来より、図５に示すように、自動販売機等の上部に設置する表示体（１）として、金属製のフレーム（２）に印刷等を施した表示板（３）を表裏から挟み込み、ネジ等の止め具（４）により表示板（３）の縁部をフレーム（２）に固定する構造となっていて、設置の際に、自動販売機等の上部にＬ字型の部材（５）でネジ等によって取り付けるものが知られている。
【０００３】
しかし従来の表示体（１）のフレーム（２）は、金属製なのでコストが高くなったり、ネジ等を使って自動販売機上部に取り付けるので設置に工事を要して面倒であった。
また、金属製のフレーム（２）で表示板（３）を表裏から挟み込み止め具（４）により表示板（３）の縁部をフレーム（２）に固定する構造なので、表示板（３）を交換する時に面倒であったり、野外で雨にさらされるのでフレーム（２）内に水がたまったり、フレーム（２）のみで表示板（３）を固定しているので風に弱っかったりする不都合があった。
【０００４】
【発明が解決しようとする課題】
本発明は、金属製の表示部材に関する以上のような問題点に着目してなされたもので、製造コストが安価で、自動販売機への取り付けや表示シートの交換が容易で雨や風などの環境にも対応できる表示部材を提供することを目的とする。
【０００５】
【課題を解決するための手段】
本発明の請求項１に係る発明は、フレーム１１の下部片側に延びる台座１２を連設し、もう一方の下部片側に形成した嵌合突起１５と、それに対応する嵌合凹部１６とを設けた半身のプラスチック成形物からなる枠部材１０同士を前記台座１２が外側になるように向かい合わせ、側面に隙間２２がある状態で、それぞれ前記嵌合突起１５と嵌合凹部１６とを嵌合させることにより結合させた表示本体２０の、前記隙間２２に表示板３０を挿入したことを特徴とする表示体である。
【０００６】
本発明の請求項２に係る発明は、上記請求項１に係る表示体において、前記台座１２の底面内側に、排水機能を付加する切欠１４を、複数個設けたことを特徴とする表示体である。
【０００７】
本発明の請求項３に係る発明は、上記請求項１又は２に係る表示体において、前記枠部材１０が、フレーム１１内に分離可能な格子状の補強部材１３を一体に設けたことを特徴とする表示体である。
【０００８】
本発明の請求項４に係る発明は、上記請求項１又は２に係る表示体において、１つの枠部材１０が、フレーム１１内に分離可能な格子状の補強部材１３を一体に設けたことを特徴とする表示体である。
【０００９】
本発明の請求項５に係る発明は、上記請求項１乃至４のいずれか１項に係る表示体を、天面に取り付けたことを特徴とする自動販売機である。
【００１０】
【作用】
上記のように本発明によれば、表示本体を金属製からプラスチック製にし、表裏同型の枠部材同士を結合させて形成することによって成形金型が１つですみコストダウンすることができる。
【００１１】
また、台座底面に強力な接着テープ層を設け、自動販売機と固定できるようにすることによって、自動販売機の天面に取り付ける際、面倒な設置工事を行う必要がない。
また、表示板を差し込み式にすることによって、表示板の交換が手間を掛けずにできる。
【００１２】
また、台座の底面内側に切欠を複数個設けることによって、表示体に排水機能を付加することができる。
また、フレーム内に分離可能な格子状の補強部材を一体に設けることによって、風に強い表示体を提供することができる。
【００１３】
【発明の実施の形態】
本発明の第１発明の表示体を実施の形態に沿って以下に詳細に説明する。
【００１４】
図１は、本発明の一実施の形態の表示体を示す説明図であり、自動販売機の天面に固定させたものであり、図２は、図１の表示体の枠部材の正面図、図３は、図１の表示体の枠部材の底面図である。
【００１５】
フレーム（１１）の下部片側に延びる台座（１２）を連設する半身のプラスチック成形物からなる枠部材（１０）を２つ、前記台座（１２）が外側になるように向かい合わせ、側面に表示板（３０）の挿入する隙間（２２）がある状態で結合部（２２）で結合させた表示本体（２０）の、前記隙間（２２）に表示板（３０）を挿入した表示体（２５）である。
表裏同型のプラスチック成形物からなる枠部材（１０）同士を結合させるには、接着剤により貼り合わせるか、または嵌合突起（１５）とそれに対応した嵌合凹部（１６）をそれぞれに設け、それぞれの嵌合突起（１５）と嵌合凹部（１６）とを嵌合させることにより固定すればよい。
【００１６】
ここで、枠部材（１０）は、両側部には、切欠部分を設け、枠部材（１０）同士を結合させる時に、表示板（３０）が挿入できる隙間（２２）が形成されるようにし、また、中央には、分離可能な例えば十字状の補強部材（２４）を枠部材（１０）の成形と同時に形成してもよい。
表示本体（２０）は、補強部材（２４）を形成した枠部材（１０）同士、または一方の枠部材（１０）にのみ補強部材（２４）を設けた状態にしてもよい。
【００１７】
上記枠部材（１０）は、一旦補強部材（２４）のある枠部材（１０）を成形し、補強部材（２４）のある状態で使用する場合は、そのまま使用し、補強部材（２４）のない状態で使用する場合は、枠部材（１０）から補強部材（２４）を取り外して使用すればよい。
【００１８】
また、枠部材（１０）の下方に設ける台座（１２）には、底面内側に複数の切欠（１４）を設けてあり、前記切欠（１４）は図３に示すように枠部材（１０）を２つ向かい合わせて結合した際に円形の穴が形成できる状態にしてもよい。
【００１９】
そして、自動販売機（５０）の天面（５１）に取り付けるには、前記表示体（２５）の下面に感圧接着剤を塗布しておき、この接着剤により固定するのが望ましい。
【００２０】
図４は、本発明の第２実施の形態の表示体を示す説明図であり、表示板の交換時の斜視図である。
【００２１】
この表示本体（２０）は、一方の枠部材（１０）にのみ補強部材（２４）を設けたもので、枠部材（１１）の隙間（２２）より、表示板（３０）を挿入した表示体である。
【００２２】
【発明の効果】
上記のように本発明においては、表示本体をプラスチック成形物とし、表裏同型の枠部材で組み立てられるようにしたので、金型が１つで済み、コストダウンできる。
また、表示体の自動販売機天面への取り付け手段を接着テープでの固定としたので取り付けが容易で、表示板を差し込み式としたので表示板の交換も容易にできる。
また、雨対策として脚部の底面に切欠を複数個設け排水機構を付加し、風対策として補強部材を枠部材内に設けたので屋外への表示も対応できる。
【図面の簡単な説明】
【図１】本発明の表示体を自動販売機の天面に取り付けて固定させた状態を示す説明図である。
【図２】本発明の表示体の枠部材の正面図である。
【図３】本発明の表示体の枠部材の底面図である。
【図４】本発明の他の表示体例を示すの説明図である。
【図５】従来の表示体の説明図である。
【符号の説明】
１０…枠部材      １１…フレーム      １２…台座      １３…補強部材
１４…切欠      １５…嵌合突起      １６…嵌合凹部      ２０…表示本体
２２…隙間      ２５…表示体      ３０…表示板      ５０…自動販売機
５１…天面
【図１】
0003644219.tif 000002
【図２】
0003644219.tif 000003
【図３】
0003644219.tif 000004
【図４】
0003644219.tif 000005
【図５】
0003644219.tif 000006